(57)【特許請求の範囲】
【請求項１】
障子の開閉に際し障子と枠体間に指挟み防止間隙を存して障子の移動を一旦停止させるようにした指挟み防止装置において、障子若しくは枠体のいずれか一方の部材に設けたキッカーと他方の部材に設けたベースを具備し、該ベースには、キッカーに当接する突出位置とキッカーに当接しない退避位置に進退可能に設けられ側面に係止段部を形成したストッパーと、該ベースに揺動可能に枢着され一端に上記ストッパーを突出位置と退避位置に移動させるよう回動可能に連結すると共に該ストッパーを退避位置に移動させる方向に付勢されたトリガーと、上記キッカーが該ストッパーに対向する位置を通過して上記障子が開放若しくは閉鎖方向に移動した際、トリガーを回動して該ストッパーを突出位置に移動させるよう上記キッカーに当接可能な位置に延出するトリガーの部片と、上記ストッパーが突出位置にあるとき上記係止段部に係合するようベースに枢着した爪と、上記ストッパーを該爪方向に付勢するよう付勢ばねで付勢されたプッシュピンを具備し、障子が閉鎖若しくは開放位置に戻る際キッカーに押されてストッパーが回動し上記係止段部が爪から離れて障子の移動を停止し、その後ストッパーを上記トリガーにより退避位置に後退させるようにしたことを特徴とする指挟み防止装置。
【請求項２】
上記トリガー若しくはキッカーには、障子が開放若しくは閉鎖位置に移動する際、上記キッカーによりストッパーを突出位置に移動させるようトリガーを回動し、閉鎖若しくは開放位置に戻る際、トリガーを回動位置に保持したままキッカーの復帰を許容するようエスケープが設けられている請求項１に記載の指挟み防止装置。
【請求項３】
上記ストッパーは、ベースに設けたガイド壁に沿って移動し、一方のガイド壁は上下方向に垂直な壁面を有する爪ガイドで構成され、他方の壁面は爪ガイドとの間隔が徐々に広がるよう傾斜面を設けた位置決めにより構成されている請求項１または２に記載の指挟み防止装置。
【請求項４】
上記爪は、爪ガイドに形成した対向する壁間に設けた凹部に枢着され、一方の壁に当接する方向に回動可能に付勢されている請求項３に記載の指挟み防止装置。
【請求項５】
上記キッカー側若しくはストッパー側には、キッカーとストッパーが当接する際の衝撃を緩和する衝撃緩和装置が設けられている請求項１から４のいずれかに記載の指挟み防止装置。
【請求項６】
上記請求項１〜５のいずれかに記載の指挟み防止装置を備えた障子。
【発明の詳細な説明】
【技術分野】
【０００１】
本発明は、引き違い障子、片引き障子、引き違い引戸、片引き引戸、上げ下げ窓等の障子、引戸、窓等を開閉する際に障子や引戸、窓等と枠体との間に指を挟み込まないようにした指挟み防止装置に関する。
【背景技術】
【０００２】
引き違い障子、片引き障子、引き違い引戸、片引き引戸、上げ下げ窓等（以下単に障子という）は、近年大型化、複層ガラス化により障子重量が大幅に増加した一方で、性能向上により開閉操作力は軽くなってきている。そのため、閉鎖時に指、手、特に小さな子供の場合には首、頭等を障子と戸枠等の枠体の間に挟み込んで大きな事故に繋がる危険性があり、そのような事故を防ぐための指挟み防止装置が求められていた。そこで、障子が戸枠に近づいたとき一旦障子の移動を停止させるようにした指挟み防止装置が提案されている。最近市場には種々の指挟み防止装置が提案され、投入されているが、剛性、大きさ、使い勝手、据付時の調整、経年変化や摩耗による調整等の点で種々問題があり、これらの問題点を解消できるようにした簡単な装置が望まれている。
【０００３】
障子を閉じるとき若しくは開くときに、指挟みを防止できるようにした装置として、従来から提案されているものは、大別して、次の二つ方式がある。
（１）障子の閉じ（開き）速度が設定した速度より速い場合は閉鎖（全開）近くで一旦障子の移動を停止させた後、自動若しくは手動操作で停止状態を解除し、安全確認後、その位置から再び閉じ（開き）、閉鎖（全開）する。障子の閉じ（開き）速度が設定した速度より遅い場合は、そのまま閉鎖（全開）することができる装置（例えば、特許文献１参照）。
（２）障子の閉じ（開き）速度の速さに関係なく、閉鎖（全開）近くで障子の移動を一旦停止させ、自動若しくは手動操作で停止状態を解除し、安全確認後、その位置から再び閉じ（開き）、閉鎖（全開）する装置。
【０００４】
例えば、上記特許文献１に記載されている指挟み防止装置は、障子の移動速度が所定速度以下のとき、磁石の反発力により戸閉成阻止ユニットが退避して障子が閉まるようにし、障子が該ユニットの退避速度を上回る速度で閉められるときは、戸閉成阻止ユニットを障子に当てて指挟みを防止しようとするものである。その他、磁石を利用した種々の指挟み防止装置が提案されているが、いずれも障子の速度が遅いときには指挟み防止装置が作動せず、一定の速度を超えて障子が閉められるときに指挟み防止装置が作動して、障子の移動を停止させるよう構成されている。したがって、従来の装置では、磁石の反発力と障子の移動速度を微妙に調整しなければならないので、現場に設置する際の調整がむずかしく、長期にわたって使用すると、狂いを生じるおそれもあり、好ましいものではなかった。    
【先行技術文献】
【特許文献】
【０００５】
【特許文献１】特開平８−８２１５７号公報（請求項１、図１）
【発明の概要】
【発明が解決しようとする課題】
【０００６】
本発明は、上記のように従来の構成を大別したときの上記（２）に分類される構成を採用し、障子の移動速度の大小によらず、指挟み防止間隙として定めた所定位置において障子の移動を停止させ、その後自動的に停止状態を解除して障子を完全に閉鎖（全開）できるようにした指挟み詰防止装置を提供することである。
なお、上述したように指挟み防止装置は障子を閉鎖する場合だけでなく、開放するときに枠体との間で指等を挟み込むおそれのある場所で使用する場合があるので、本発明はいずれの場合にも使用できる装置を目的としている。
【課題を解決するための手段】
【０００７】
本発明によれば、障子の開閉に際し障子と枠体間に指挟み防止間隙を存して障子の移動を一旦停止させるようにした指挟み防止装置において、障子若しくは枠体のいずれか一方の部材にキッカーを設けると共に該キッカーに当接可能なストッパーを他方の部材に設け、該ストッパーをキッカーに当接する突出位置とキッカーに当接しない退避位置に進退可能に形成し、該ストッパーを突出位置と退避位置に移動させるよう該ストッパーをトリガーの一端に連結し該トリガーを揺動可能に枢着すると共に該ストッパーを退避位置に移動させるよう付勢し、上記キッカーが該ストッパーに対向する位置を通過して上記障子が開放若しくは閉鎖方向に移動した際、該ストッパーを突出位置に移動させるよう上記トリガーの他端をキッカーに当接可能な位置に延出させ、障子が閉鎖若しくは開放位置に戻る際キッカーがストッパーに当接して障子の移動を停止し、その後ストッパーを退避位置に後退させるようにしたことを特徴とする指挟み防止装置が提供される。
【０００８】
さらに本発明によれば、上記指挟み防止装置において、上記トリガー若しくはキッカーには、障子が閉鎖若しくは開放位置に戻る際、ストッパーを突出させた位置にトリガーを保持した状態でキッカーの復帰を許容するエスケープが設けられ、上記ストッパーには該ストッパーが突出位置に移動した際、該ストッパーを突出位置で離脱可能に仮保持する保持装置が設けられている上記指挟み防止装置が提供される。
【０００９】
また、本発明によれば、上記指挟み防止装置において、上記キッカー側若しくはストッパー側に、キッカーとストッパーが当接する際の衝撃を緩和する衝撃緩和装置が設けられている上記指挟み防止装置が提供される。
【発明の効果】
【００１０】
本発明は上記のように構成され、障子の開閉に際し障子と枠体間に指挟み防止間隙を存して障子の移動を一旦停止させるようにした指挟み防止装置において、障子若しくは枠体のいずれか一方の部材にキッカーを設けると共に該キッカーに当接可能なストッパーを他方の部材に設け、該ストッパーをキッカーに当接する突出位置とキッカーに当接しない退避位置に進退可能に形成し、該ストッパーを突出位置と退避位置に移動させるよう該ストッパーをトリガーの一端に連結し、該トリガーを揺動可能に枢着すると共に該ストッパーを退避位置に移動させるよう付勢し、上記キッカーが該ストッパーに対向する位置を通過して上記障子が開放若しくは閉鎖方向に移動した際、該ストッパーを突出位置に移動させるよう上記トリガーの他端をキッカーに当接可能な位置に延出させ、障子が閉鎖若しくは開放位置に戻る際キッカーがストッパーに当接して障子の移動を停止し、その後ストッパーを退避位置に後退させるようにしたから、キッカーがストッパーに対向する位置を通過して障子が移動した際、キッカーがトリガーに当たるとストッパーは突出位置に突出する。そして、障子が閉鎖若しくは開放位置に戻る際該ストッパーにキッカーが当接するので、障子をその位置に一旦停止させることができる。これにより枠体と障子間に指挟み防止間隙が形成され、指挟みが防止される。また、上記のように、本発明の指挟み防止装置は、主として、キッカーと、ストッパーと、該ストッパーを進退させるトリガーにより構成されているので、部品点数が少なく、経済的であり、調整箇所も少なく、経年変化により狂いを生じることもなく、動作も確実である。その上、全体の大きさを小さくできるから、サッシや障子の設計に容易に合わせて構成することができ、各部材を枠体の上枠或いは障子の上框に埋め込んだり、障子の外側に取り付けたり、取付部分の形状を適宜に変えたり、種々の構成に対応することができる。
【００１１】
また、上記キッカー側若しくはストッパー側に衝撃緩和装置を設けると、障子が停止する際の衝撃が緩和され、障子が跳ね返るおそれがなく、より安全であり、開閉操作も容易である。
【図面の簡単な説明】
【００１２】
【図１】障子の説明図。
【図２】本発明の一実施例を示し、キッカーがトリガーに当接する前の状態の説明図。
【図３】ストッパーに対向する位置を通過したキッカーがトリガーを押し上げている状態の説明図。
【図４】キッカーがトリガーの押し上げを完了した状態の説明図。
【図５】キッカーがトリガーを通過した状態の説明図。
【図６】障子が最初の状態に戻る際、トリガーの先端のエスケープにキッカーが当接したときの説明図。
【図７】エスケープを押し込んでキッカーが移動する状態の説明図。
【図８】図７に示す位置からさらに障子が移動しストッパーに当接した状態の説明図。
【図９】キッカーがストッパーを押し込んでいる状態の説明図。
【図１０】ストッパーの保持装置が外れ、ストッパー、キッカー及び位置決めがロックされた状態の説明図。
【図１１】ストッパーが退避位置に移動した状態の説明図。
【図１２】エスケープをキッカー側に設けた実施例の説明図。
【図１３】衝撃緩和装置を設けた実施例の説明図。
【発明を実施するための形態】
【００１３】
本発明の指挟み防止装置は、上述した障子、すなわち、引き違い障子、片引き障子、引き違い引戸、片引き引戸、上げ下げ窓等の種々の障子、引戸、窓等の各所で使用することができるが、図１に示す実施例は、戸枠や窓枠等の枠体１と、この枠体１内で開閉可能に組み込まれた障子２間に設けられ、以下障子を閉鎖する際に、枠体の竪枠３との間に指等を挟み込まない空間（間隙）４が存する位置で障子の移動を一旦停止させ、安全確認後、完全に閉鎖できるようにした実施例につき説明する。
【００１４】
図２を参照し、本発明の指挟み防止装置は、主として、障子２若しくは枠体１のいずれか一方の部材に設けられるキッカー５と、他方の部材に設けられ該キッカー５が当接可能なストッパー６と該ストッパー６を移動させるトリガー７で構成されている。図に示す実施例では、キッカー５を障子２側に設け、ストッパー６とトリガー７を枠体１側に取り付けたベース８及び該ベースを覆う蓋９内に設けてあり、キッカー５は障子２の上框から突出して設けられ、ストッパー６及びトリガー７の下端は上枠から障子方向に突出可能に設けられている。
【００１５】
上記ストッパー６は、ベース８上に向い合せに設けたガイド壁に沿って突出位置と退避位置に、図２においては上下方向に、進退可能に設けられている。実施例では、上記ガイド壁の一方は、上下方向にほぼ垂直な壁面１０を有する爪ガイド１１により構成され、他方の壁はストッパー６の傾動を許容するよう爪ガイド１１の壁面１０との間隔が、図において下方に向かって徐々に広がるよう傾斜面１２を設けた位置決め１３により構成されている。なお、傾斜面を爪ガイド側に設け、位置決め側の壁をほぼ垂直に形成してもよいし、両方の壁面に傾斜面を形成してもよい。
【００１６】
上記爪ガイド１１の壁面１０に対向するストッパー６の側面には傾斜突起１４を介して係止段部（鉤部）１５が形成され、図においてストッパー６の上方に形成した凹み部１６には横長の長孔１７が設けられ、該長孔１７にはベルクランク状のトリガー７の一方の部片７aに設けた連結軸１８が滑動可能に挿入されている。なおトリガーに長孔を形成し、ストッパーに連結軸を設けて両者を滑動可能に連結してもよい。
【００１７】
上記トリガー７の中心部は、トリガー軸１９によりベース８に枢着されており、上記ストッパー６を退避位置（後退位置）に移動させるようトリガーばね２０により、図２において時計方向に回動するように付勢され、他方の部片７ｂが上記爪ガイド１１の側面に当接する位置まで回動して停止している。該トリガーばね２０の一端は、トリガーの内面に形成した段部２１に当たり、他端はベース８に設けたばね止め２２に当接している。なお、トリガーばね２０は捩じりコイルばねを用いているが、適宜のコイルばね等を用いることもできる。また、トリガーばねに代えて、ストッパー６を退避位置に移動するよう、ストッパーを直接上方に引き上げ若しくは押し上げるよう適宜のばねを適所に設けてストッパーを直接的に付勢してもよい（図示略）。
【００１８】
上記トリガー７の部片７ｂ側には、エスケープ２３が設けられている。該エスケープ２３はトリガー７の先端の表面側、裏面側及び一方の側面側、図２に示す実施例では障子の開放位置側の側面を囲むようほぼ断面コ字形に形成され、エスケープ軸２４によりトリガー７に枢着され、先端にローラー２５が軸支２６され、該ローラー２５がベース８から下方に突出している。なお、ローラー２５を省略して上記エスケープを直接突出させることもできる（図示略）。該エスケープ２３のエスケープ軸２４の周囲にはエスケープばね２７が設けられ、図２において、エスケープ２３を反時計方向に回動するようエスケープ２３を付勢している。通常の状態ではエスケープ２３は、側面がトリガー７の側面に当たっているので、それ以上の回動が阻止され、図２に示すようにトリガー７の部片７ｂとほぼ一直線上に並んでいる。該エスケープばね２７は、捩じりコイルばねが使用され、該ばね２７の一端がトリガー７の段部２８に当たり、他端はエスケープ２３の側面の裏側に当接している、このエスケープばねも適宜のコイルばね等で構成することができる。
【００１９】
上記爪ガイド１１に形成した対向する壁２９、３０間の凹部３１には、爪３２が枢着され、該爪３２は枢軸３３の周囲に設けた爪ばね３４により一方の壁３０に当接するまで、図２において反時計方向に回動するよう付勢されている。この爪ばね３４も捩じりコイルばねを用いているが、その他の適宜のばねを用いることができる。該爪３２は上記ストッパー６が突出位置に移動した際、該ストッパー６の係止段部１５に係合可能であり、その状態でストッパー６が後退するとき、該爪３２は上記壁２９に当接する位置まで従動して係合が外れないようにし、ストッパー６の後退動を阻止する。図２に示す実施例では、係止段部１５と爪３２によりストッパー６を突出位置に仮保持する保持装置が形成されているが、この係止段部１５を爪ガイド１１側に設け爪３２をストッパー６側に設けたり、その他の適宜の保持装置を設けてストッパーを仮保持できるようにしてもよい。
【００２０】
上記位置決め１３には、上記ストッパー６を上記爪ガイド１１方向に付勢するプッシュピン３５が設けられている。該プッシュピン３５は、位置決め１３に設けた孔３６内に挿入され、プッシュピンばね３７で押されている。該ばね３７による押圧力は上記孔３６にねじ着した調整ねじ３８を操作することにより調整することができる。上記ストッパー６は該プッシュピン３５の押圧力に抗して連結軸１８を中心として、図２において時計方向に僅か回動することができる。このとき、上記ばね３７による押圧力を調整して、押圧力を弱くすれば、ストッパー６は軽く回動し、押圧力を大きくすれば、ストッパー６の回動を重くすることができる。この回動により上記ストッパー６の係止段部１５が爪３２から離れ、爪３２による拘束を解除されたストッパー６は退避位置に向けて後退可能となる。
【００２１】
上記構成により障子を開閉する際の作用を説明する。図２は、障子２が閉鎖位置にあってストッパー６は退避位置に後退している最初の状態を示している。この状態から、障子２を開放するため鎖線に示すように矢印３９方向に移動させると、キッカー５はストッパー６の下方を通過した後、トリガー７の先端に設けたエスケープ２３に当たり、図３に示すように、トリガー７を反時計方向に回動させてストッパー６を突出位置に向けて降下させる。
【００２２】
さらに障子２を移動させてトリガー７を回動させると、ストッパー６は一層降下し、傾斜突起１４が爪３２の先端を越え、爪３２の先端は係止段部１５に対応する（図４参照）。そして、エスケープ２３からキッカー５が離れる位置まで障子２が移動すると、トリガー７はトリガーばね２０の作用で時計方向に回動し、上記係止段部１５に爪３２の先端が係合し、該爪３２の回動は壁２９に当接して停止されるので、ストッパー６は突出位置に拘束される。その後、障子２を開放位置に向け移動させれば障子を完全に開放することができる（図５）。
【００２３】
図５に示す状態から、矢印４０方向に移動して障子２を閉鎖しようとすると、キッカー５がエスケープ２３に当たる。エスケープ２３は時計方向に回動可能であるから、トリガー７を回動させることなくエスケープ２３のみが回動し、キッカー５はエスケープ２３を通過して閉鎖方向に移動する（図６、図７参照）。このとき、ストッパー６は突出位置に保持されたままの状態であるから、図８に示すように、キッカー５はストッパー６に当接する。障子２は移動し続けているから、キッカー５に押されてストッパー６はプッシュピンばね３７に抗してプッシュピン３５を押しながら時計方向に回動し（図９参照）、係止段部１５が爪３２から離れる。さらに障子を閉じると、キッカー５とストッパー６と位置決め１３がかみ合ったロック状態となり、障子２の移動は停止する（図１０）。これにより、障子２の戸先と枠体１間には間隙４が形成され、指挟みを防止することができる。この際、ストッパー６から離れた爪３２は、爪ばね３４で反時計方向に付勢されているので、壁３０に当たる位置まで回動し、図１０に示すように、傾斜突起１４との間に間隔をあけて対向し、ストッパー６の後退動を妨げるおそれはない。
【００２４】
障子２を閉じようとする力を緩めるか閉鎖力が消失すると、上記ロック状態は解放され、上記トリガー７はトリガーばね２０の作用で時計方向に回動し、ストッパー６は上方に引き上げられる。したがって、障子２を閉鎖方向にさらに移動させてもキッカー５がストッパー６に当たることはないので、障子を完全に閉鎖することができる（図１１）。
【００２５】
上記障子を閉じる際、指挟み防止のために閉鎖手前で一時停止させると、一旦停止した障子はキッカーとストッパーが衝突した状態で止まっているので、結果的には障子と枠体が衝突しているのと同じであり、停止状態では障子を最初に動かすための初動力以上の力が働いているものと考えられる。そのため、指挟み防止装置で一旦停止した障子は、最低でも初動力を上回った力を与えないと停止解除をすることができない。本発明の指挟み防止装置は、障子の移動方向に対してほぼ直角方向にストッパーを進退させて停止、停止解除を行う動作方式であるから、障子と枠体が衝突状態で押し合って停止している力をＴとし、摩擦係数をρとすると、停止解除に要する力は、Ｔ×ρとなり、それ以上の力があれば停止を解除することができる。ρは材質によって異なるが、ρ≒０．３前後なので、Ｔの約３割の力で停止を解除することができ、一旦停止した後、容易に自動的に解除することができる。
【００２６】
上記実施例においては、エスケープ２３をトリガー７側に設けたが、キッカー５側にエスケープを設けることもできる。図１２はキッカー５側にエスケープ４１を設けた一実施例を示し、トリガー７の部片７ｂの先端はベースから障子側に突出する略棒状体に形成されている。キッカー５には、正面から見て略Ｌ字状の凹部４２が形成され、該凹部４２内には、回動可能にエスケープ４１が収納され、軸支４３されている。この場合、エスケープ４１は図１２において、反時計方向に回動するようエスケープばね４４で付勢され、キッカー５の凹部４２に設けた阻止壁４５に当たった状態で先端がトリガー７方向に突出するよう保持されている。そして、該エスケープ４１は、障子２が開放方向に移動するときは回動せずに先端がトリガー７に当たってトリガー７を反時計方向に回動させ、障子２が開放位置から閉鎖方向に移動する際には、トリガー７の先端に押されて時計方向に回動し、トリガー７を上記回動した位置に留めている。この構成により、上記実施例とほぼ同様に機能させることができる。
【００２７】
上記実施例では、キッカー５がストッパー６に衝突する際、障子２を勢いよく閉めた場合、障子２が跳ね返り、跳ね返った障子が操作者や近くにいる子供、幼児等にぶつかり、怪我をさせるおそれがある。そのような事態を生じさせないためには、衝突時の衝撃を緩和できる衝撃緩和装置を適宜位置に設ければよい。衝撃緩和装置を設ければ、障子の閉じ速度が速くても、遅くても、また衝撃的に閉じられても、キッカー５とストッパー６が衝突した際の衝撃が緩和され、キッカー５とストッパー６と位置決め１３のロック状態が確実に構成されて障子２の移動を安定状態で停止させることができ、図１３にはキッカー６側に衝撃緩和装置４６を備えた一実施例が示されている。該衝撃緩和装置としては、図１３に示す実施例では、キッカー５を長手方向に移動可能に設け、ワンウエイクラッチ４７、スパイラルロッド４８、リニアダンパ４９及び圧縮コイルばね５０を有するリニアダンパ機構を用い、キッカー５がストッパー６に当接した際、衝撃を緩衝されながらキッカー５が相対的に図において右行し、その後圧縮コイルばねにより相対的に左行して最初の位置に復帰するよう構成されている。その他、エアダンパ、油圧ダンパ、ロータリーダンパ等を用いることができる。
【００２８】
上記実施例においては、キッカーを障子側に設け、ストッパー等を枠体側に設けたが、キッカーを枠体側に設け、ストッパー等を障子側に設けることもできる。また、障子を閉鎖する際に指挟み防止間隙を障子の戸先と枠体間に形成するようにしたが、障子を開放する際に障子の戸尻と枠体間に指挟み防止間隙を形成するようにしてもよい。
【符号の説明】
【００２９】
１    枠体
２    障子
４    間隙
５    キッカー
６    ストッパー
７    トリガー
８    ベース
１１  爪ガイド
１３  位置決め
１５  係止段部
１９  トリガー軸
２０  トリガーばね
２３  エスケープ
２７  エスケープばね
３２  爪
３４  爪ばね
３５  プッシュピン
３７  プッシュピンばね
４１  エスケープ
４６  衝撃緩和装置
【図１】
0005990007.tif 000002
【図２】
0005990007.tif 000003
【図３】
0005990007.tif 000004
【図４】
0005990007.tif 000005
【図５】
0005990007.tif 000006
【図６】
0005990007.tif 000007
【図７】
0005990007.tif 000008
【図８】
0005990007.tif 000009
【図９】
0005990007.tif 000010
【図１０】
0005990007.tif 000011
【図１１】
0005990007.tif 000012
【図１２】
0005990007.tif 000013
【図１３】
0005990007.tif 000014